(57)【特許請求の範囲】
【請求項１】
ＩＣタグを貼付対象物に貼り付けるＩＣタグの貼付構造であって、
前記ＩＣタグと、
前記ＩＣタグをその内部に収容するＩＣタグ収容部と、
前記ＩＣタグ収容部が装着されるＩＣタグ装着部と、
前記ＩＣタグ収容部を前記ＩＣタグ装着部に対して着脱可能に固定する固定部と、
前記ＩＣタグ装着部及び前記貼付対象物の間に配置されるとともに前記ＩＣタグ装着部及び前記貼付対象物にそれぞれ貼付し、前記ＩＣタグ装着部及び前記貼付対象物よりも変形強度が小さい貼付部とを備え、
前記ＩＣタグ収容部は、インサート成形によって形成され、樹脂材料またはセラミックで前記ＩＣタグを封止して密閉すること、
を特徴とするＩＣタグの貼付構造。
【請求項２】
請求項１に記載のＩＣタグの貼付構造において、
前記固定部は、
前記ＩＣタグ収容部及び前記ＩＣタグ装着部の一方に設けられた雄ネジ部、及び、他方に設けられ前記雄ネジ部とネジ結合する雌ネジ部からなること
を特徴とするＩＣタグの貼付構造。
【請求項３】
請求項１又は請求項２に記載のＩＣタグの貼付構造において、
前記貼付部は、
樹脂系の発泡材料によって形成された基材層と、
前記基材層及び前記ＩＣタグ装着部を接着する第１の接着剤層と、
前記基材層及び前記貼付対象物を接着する第２の接着剤層とを備えること
を特徴とするＩＣタグの貼付構造。
【請求項４】
請求項１から請求項３までのいずれか１項に記載のＩＣタグの貼付構造において、
前記ＩＣタグ収容部は、少なくとも一部が透光性を有する材料によって形成されること
を特徴とするＩＣタグの貼付構造。
【発明の詳細な説明】
【技術分野】
【０００１】
本発明は、ＩＣタグを貼付対象物に貼付するＩＣタグの貼付構造に関するものである。
【背景技術】
【０００２】
ＩＣタグは、ＲＦＩＤ（Radio Frequency Identification）とも称され、個体の識別が可能な情報を保持するＩＣチップを備え、この情報を無線通信によって非接触に読み取りできるようになっている。
このようなＩＣタグは、例えば運送、工場工程管理、流通等の各分野において、商品等の管理に有用であり、例えばビール等の飲料が充填された金属製の容器（ビア樽）にＩＣタグを貼付してビア樽の流通管理を行うシステムが知られている（例えば、特許文献１参照）。
このビア樽は、耐圧性を向上させるためにその表面が曲面になっており、ＩＣタグは、曲面に対して貼付される。従来、曲面貼付可能なＩＣタグとして、インレットが可撓性を有する外装材によって被覆されたものが知られている（例えば、特許文献２及び特許文献３参照）。
【０００３】
しかし、これらの従来のＩＣタグは、全体を薄型化するために外装材が薄く、インレットを衝撃から保護する能力が低いという問題があった。これに対し、剛性を有するケースにインレットを収容すると、ビア樽（曲面）とケースとの間に隙間が形成され接着面積が小さくなるため、ビア樽からＩＣタグが脱落する可能性があった。
また、ＩＣタグの脱落を防止するために接着剤の接着強度を大きくすると、例えばＩＣタグが破損した場合等に、ＩＣタグの交換が困難になる。
【０００４】
【特許文献１】特開平１１−７３４６１号公報
【特許文献２】特開２００４−３８７０２号公報
【特許文献３】特開２００５−７１０６３号公報
【発明の開示】
【発明が解決しようとする課題】
【０００５】
本発明の課題は、貼付対象物の形状に関わらずＩＣタグを貼付対象物に対しより確実に貼付でき、かつ、ＩＣタグの交換が容易なＩＣタグの貼付構造を提供することである。
【課題を解決するための手段】
【０００６】
本発明は、以下のような解決手段により、前記課題を解決する。
請求項１の発明は、ＩＣタグを貼付対象物に貼り付けるＩＣタグの貼付構造であって、前記ＩＣタグと、前記ＩＣタグをその内部に収容するＩＣタグ収容部と、前記ＩＣタグ収容部が装着されるＩＣタグ装着部と、前記ＩＣタグ収容部を前記ＩＣタグ装着部に対して着脱可能に固定する固定部と、前記ＩＣタグ装着部及び前記貼付対象物の間に配置されるとともに前記ＩＣタグ装着部及び前記貼付対象物にそれぞれ貼付し、前記ＩＣタグ装着部及び前記貼付対象物よりも変形強度が小さい貼付部とを備え、前記ＩＣタグ収容部は、インサート成形によって形成され、樹脂材料またはセラミックで前記ＩＣタグを封止して密閉すること、を特徴とするＩＣタグの貼付構造である。
【０００７】
請求項２の発明は、請求項１に記載のＩＣタグの貼付構造において、前記固定部は、前記ＩＣタグ収容部及び前記ＩＣタグ装着部の一方に設けられた雄ネジ部、及び、他方に設けられ前記雄ネジ部とネジ結合する雌ネジ部からなることを特徴とするＩＣタグの貼付構造である。
請求項３の発明は、請求項１又は請求項２に記載のＩＣタグの貼付構造において、前記貼付部は、樹脂系の発泡材料によって形成された基材層と、前記基材層及び前記ＩＣタグ装着部を接着する第１の接着剤層と、前記基材層及び前記貼付対象物を接着する第２の接着剤層とを備えることを特徴とするＩＣタグの貼付構造である。
請求項４の発明は、請求項１から請求項３までのいずれか１項に記載のＩＣタグの貼付構造において、前記ＩＣタグ収容部は、少なくとも一部が透光性を有する材料によって形成されることを特徴とするＩＣタグの貼付構造である。
【発明の効果】
【０００８】
以上説明したように、本発明によれば、貼付部の変形強度をＩＣタグ装着部、及び、貼付対象物より小さくしたから、ＩＣタグ（ＩＣタグ収容部）を貼付対象物に貼り付ける際に、この貼付部が貼付対象物の貼付部分（貼付面）の立体的な形状に追従して変形する。これにより、例えば貼付対象物の貼付面が、曲面、球面、凹凸等の非平面状であっても、貼付部と貼付対象物との間に隙間が形成されることが防止される。したがって、ＩＣタグが貼付対象物から剥がれにくく、ＩＣタグをより確実に貼付対象物に貼付できる。
また、ＩＣタグ収容部をＩＣタグ装着部に対して着脱可能としたから、例えばＩＣタグが故障した場合等であっても、ＩＣタグ収容部をＩＣタグ装着部から取り外すことによって、貼付部の貼付対象物に対する貼付状態を維持したまま、容易にＩＣタグの交換ができる。
【発明を実施するための最良の形態】
【０００９】
本発明は、貼付対象物の形状に関わらずＩＣタグを貼付対象物に対しより確実に貼付でき、かつ、ＩＣタグの交換が容易なＩＣタグの貼付構造を提供するという目的を、ＩＣタグをＩＣタグ収容部に収容するとともにＩＣタグ装着部に雄ネジ部及び雌ねじ部によって着脱可能に固定し、かつ、ＩＣタグ装着部とビア樽をと接着する両面テープの基材層の変形強度をＩＣタグ収容部及びビア樽よりも小さくすることよって実現する。
【実施例】
【００１０】
以下、図面を参照して、本発明の実施例をあげて、さらに詳しく説明する。
図１は、本発明を適用したＩＣタグの貼付構造の実施例のビア樽を示す側面図である。図２は、図１のＩＣタグ、ＩＣタグ収容部、ＩＣタグ装着部、両面テープの構成を示す図であり、（ａ）はインレットの平面図、（ｂ）は、ＩＣタグの平面図、（ｃ）は、ＩＣタグ収容部、ＩＣタグ装着部、両面テープの斜視図である。
本実施例のＩＣタグ１の貼付構造は、カード型のＩＣタグ１を貼付対象物であるビア樽５０の底面部５３に両面テープ４０によって貼り付けるものであり、ＩＣタグ収容部３０、ＩＣタグ装着部３１、両面テープ４０を備えている。
【００１１】
ビア樽５０は、ビアサーバとも称され、例えばステンレス鋼によって形成され、容器部５１、外殻部５６を備えている。
容器部５１は、その内部にビールが充填される部分であり、胴部５２、底面部５３、上面部５４を備えている。
胴部５２は、両端部が底面部５３、上面部５４によってそれぞれ閉塞された略円筒形状に形成されている。ビア樽５０は、通常設置時において、底面部５３が設置面と対向するようなっている。
底面部５３は、その周縁部より中央部分がビア樽５０の通常設置時において設置面側に突出した球殻の一部とされている。また、底面部５３と胴部５２との接合部分は、底面部５３よりも小さい半径の曲面状になっている。
【００１２】
上面部５４も、底面部５３と同様に球殻の一部とされ、その中央部にはビールの充填等に使用する開口部が設けられ、この開口部は、キャップ５５によって閉塞されている。
外殻部５６は、内径寸法が容器部５１の胴部５２の外径寸法より大きい略円筒形状に形成され、胴部５２の外周を覆った状態で胴部５２と略同心に配置され、胴部５２と溶接によって接続されている。外殻部５６の両端部間の寸法は、容器部５１の両端部間の寸法より大きくなっており、ビア樽５０の通常設置時において、底面部５３の中央部分は、設置面と離間するようになっている。
【００１３】
ＩＣタグ１は、例えば１３．５６ＭＨｚの周波数帯域を用いた電磁誘導方式のものであり、図２（ｂ）に示すように、全体的にカード状に形成され、インレット１０、保護フィルム２０を備えている。
インレット１０は、図２（ａ）に示すように、インレット基材１１、アンテナ１２、ＩＣチップ１３を備えている。
インレット基材１１は、例えばＰＥＴ等の樹脂材料を用いて上方から見た平面形が略長方形であるシート状に形成されている。
【００１４】
アンテナ１２は、インレット基材１１の一方の面部の外周縁部に渦巻状に形成されたループアンテナである。このアンテナ１２は、例えば銅やアルミなどのエッチング加工により、あるいは、導電性を有するインクを使用した印刷によって形成される。
ＩＣチップ１３は、インレット基材１１のアンテナ１２が形成された面部に設けられている。アンテナ１２は、最も内周側の一部が切断されており、ＩＣチップ１３は、このアンテナ１２の切断部分の間に設けられ、図示しない電極がアンテナ１２に接続されている。このＩＣチップ１３は、ビア樽５０の個体の識別を可能にする固有番号等の情報を保持するとともに、専用のライタ装置によって情報の追記が可能となっている。
【００１５】
保護フィルム２０は、図２（ｂ）に示すように、その平面形がインレット基材１１より各辺の長さ方向寸法が大きい略長方形状に形成された２枚のシート材からなり、インレット１０に対し層状に重ねて設けられ、インレット１０は、これらのシート材の間に収容される。保護フィルム２０の長辺、短辺の寸法は、それぞれ、例えば８６ｍｍ、５４ｍｍとなっている。
保護フィルム２０の一方の面部（印刷面部）には、識別番号及びバーコードが印刷されている。識別番号は、例えば各ＩＣタグ１に割り当てられた固有の番号である。バーコードは、例えばＩＣタグ１の読み取りができない場合等に備えてバックアップ用に設けられたものであり、ビア樽５０の個体を識別できる情報を保持している。
【００１６】
ＩＣタグ１は、ＩＣタグ収容部３０に収容されている（図２（ｃ）参照）。
ＩＣタグ収容部３０は、例えばポリプロピレン樹脂を使用した射出成形によって略円盤状に形成された成形品である。このＩＣタグ収容部３０は、ＩＣタグ１をインサート成形によって密閉状態で収容しており、例えば３気圧（３０３９ｈＰａ）の防水性能を備えている。
また、ＩＣタグ収容部３０は、透光性を有している。本明細書において「透光性」を有するとは、光を通過させる機能を有するという意味である。このＩＣタグ収容部３０は、略透明になっており、一方の面部（読取面部）側からＩＣタグ１の印刷面部に印刷された識別番号、バーコードを読み取り可能になっている。
【００１７】
ＩＣタグ収容部３０は、雄ネジ部３２を備えている。
雄ネジ部３２は、後述するＩＣタグ装着部３１に形成された雌ネジ部３３にネジ結合されるものであり、ＩＣタグ収容部３０と一体に射出成形によって形成される。
この雄ネジ部３２は、ＩＣタグ収容部３０の読取面部とは反対側の面部の略中央部分を突出させて形成した略円柱状の突起の外周面にネジ山を設けることによって形成されている。なお、この雄ネジ部３２のネジ山は、上述の略円柱状の突起をＩＣタグ収容部３０と一体に射出成形によって形成した後に、この突起に対して切削加工によって形成してもよい。
【００１８】
ＩＣタグ装着部３１は、ＩＣタグ収容部３０と同様に、例えば略透明なポリプロピレン樹脂を使用した射出成形によって略円盤状に形成された成形品であり、雌ネジ部３３を備えている。
雌ネジ部３３は、ＩＣタグ装着部３１におけるＩＣタグ収容部３０が装着される側の面部の略中央部分を凹ませて形成された凹部の内周面にネジ溝を形成することによって設けられる。
雄ネジ部３２は、雌ネジ部３３に挿入されかつＩＣタグ収容部３０が回転されることによって雌ネジ部３３に対してネジ結合されるようになっており、雄ネジ部３２及び雌ネジ部３３は、ＩＣタグ収容部３０をＩＣタグ装着部３１に対して着脱可能に固定する固定部として機能する。
【００１９】
両面テープ４０は、ＩＣタグ装着部３１とビア樽５０との間に設けられた貼付部であり、その平面形は、ＩＣタグ装着部３１と略同じ半径の円形状になっている。この両面テープ４０は、基材層４１、第１の粘着剤層４２、第２の粘着剤層４３を備えている。
基材層４１は、例えばポリエチレン系樹脂材料を発泡させたポリエチレンフォームによって形成されており、その変形強度は、ＩＣタグ装着部３１及びビア樽５０の底面部５３よりも小さくなっている。なお、本明細書において「変形強度が小さい」とは、物体を変形させようとする力が外部から加えられた場合に変形しやすいという意味である。この基材層４１は、弾性を備えており、その弾性率は、ＩＣタグ装着部３１、ビア樽５０の底面部４３より小さくなっている。
【００２０】
第１の粘着剤層４２、第２の粘着剤層４３は、それぞれ例えばアクリル系の粘着剤が基材層４１の両面部に塗布されて形成された第１の接着剤層、第２の接着剤層である。なお、本明細書において、「粘着剤」とは「接着剤」の一種であり、「接着剤」の中には「粘着剤」が含まれるものとする。
ＩＣタグ収容部３０のビア樽５０への貼付状態において、第１の粘着剤層４２は、基材層４１及びＩＣタグ装着部３１の雌ネジ部３３が形成された面部とは反対側の面部に貼付し、第２の粘着剤層４３は、ビア樽５０及び基材層４１に貼付している。
ＩＣタグ１のビア樽５０に対する貼付位置は、底面部５３の中心より外径側にずれた位置であって、保護フィルム２０の印刷面部とは反対側の面部が、底面部５３と対向している。
【００２１】
このビア樽５０は、例えば中身が空になった場合等にビール工場に返却され、洗浄された後に新たなビールが充填される。このとき、ＩＣタグ１に充填日、出荷先等の情報が書き込まれ、これらの情報に基づいて流通管理が行われる。このＩＣタグ１が保持する情報を読み取ることができない場合は、バーコードが保持する情報が出荷先等において読み取られる。
【００２２】
以上、本実施例によれば、以下の効果を奏することができる。
（１）両面テープ４０の基材層４１の変形強度を、ＩＣタグ装着部３１及びビア樽５０の底面部５３より小さくしたから、ＩＣタグ１をビア樽５０に貼り付ける際に、この基材層４１及び第２粘着剤層４３がビア樽５０の底面部５３（球面）に追従して変形する。これにより、第２の粘着剤層４３は、略全面にわたってビア樽５０に接着し、ＩＣタグ収容部３０とビア樽５０との間に隙間が形成されることが防止される。したがって、ＩＣタグ１が、ビア樽５０から剥がれにくい。
【００２３】
（２）ＩＣタグ収容部３０（ＩＣタグ１）をＩＣタグ装着部３１に対して着脱可能としたから、例えばＩＣタグ１が破損しても、他のＩＣタグ収容部と容易に交換することができ、ビア樽５０の再利用を妨げない。また、ＩＣタグ収容部３０を回転させることによってＩＣタグ収容部３０をＩＣタグ装着部３１から取り外すことができるから、ＩＣタグ１の交換が容易である。
（３）ＩＣタグ１をＩＣタグ収容部３０に収容したから、ＩＣタグ１を外部からの衝撃から保護することができる。また、ＩＣタグ収容部３０を、例えばポリプロピレン樹脂によって形成したから、ＩＣタグ１を密閉して収容した形状に成形することが容易である。
（４）ＩＣタグ１をＩＣタグ収容部３０に密封したから、ビア樽５０を洗浄する際にＩＣタグ収容部３０が洗浄水に晒されたとしてもＩＣタグ１の故障を防止できる。
（５）ＩＣタグ収容部３０を略透明にしたから、ＩＣタグ１をビア樽５０に貼付した状態においても、ＩＣタグ１の印刷面部に印刷された識別番号、バーコードを読み取ることができる。
（６）両面テープ４０の基材層４１を、例えばポリエチレンフォーム等の衝撃吸収を備える材料によって形成したから、ビア樽５０に加えられ、ＩＣタグ１に伝搬する衝撃を緩和することができ、ＩＣタグ１は、衝撃から保護される。
【００２４】
（変形例）
以上説明した実施例に限定されることなく、種々の変形や変更が可能であって、それらも本発明の均等の範囲内である。
（１）実施例において、ＩＣタグは、球面状の底面部を備えるビア樽に貼付されたが、これに限らず、ＩＣタグの貼付対象物は、他のものであってもよい。また、貼付対象物の形状は、球面以外の非平面状（例えば、凹凸面）であってもよく、この場合であっても両面テープの基材層が変形するから、ＩＣタグは貼付対象物から剥がれにくい。
（２）実施例において、ＩＣタグは、略円盤状のＩＣタグ収容部に収容されたが、これに限らず、ＩＣタグ収容部の形状は、他の形状であってもよく、例えば直方体状であってもよい。
（３）実施例において、ＩＣタグ収容部は、ポリプロピレンによって形成されていたが、これに限らず、ＩＣタグ収容部を他の樹脂材料、又は、セラミックによって形成してもよい。
（４）実施例において、両面テープの基材層は、ポリエチレンフォームであったが、これに限らず、他の材料であってもよく、例えばウレタン系の樹脂材料を発泡させたウレタンフォームによって形成してもよい。
（５）実施例において、両面テープに形成された第１の接着層及び第２の接着剤層は、アクリル系の粘着剤によって形成されていたが、これに限らず、他の接着剤、粘着剤であってもよく、例えば硬化型の接着剤、合成ゴム系の粘着剤等であってもよい。
（６）実施例において、ＩＣタグは、無電池式（パッシブタイプ）のものであったが、これに限らず、ＩＣタグは、電池式（アクティブタイプ）のものであってもよい。また、ＩＣタグは、ループアンテナを備える電磁誘導式のものであったが、これに限らず、他の種類のものであってもよく、例えばダイポールアンテナを備えるＵＨＦ方式のものであってもよい。
（７）実施例において、ＩＣタグ収容部とＩＣタグ装着部とは、ＩＣタグ収容部側に設けられた雄ネジ部とＩＣタグ装着部側に設けられた雌ネジ部とによってネジ結合されていたが、これに限らず、例えばＩＣタグ収容部側に雌ネジ部を設けるとともに、ＩＣタグ装着部側に雄ネジ部を設けて、これらをネジ結合してもよい。また、これらのネジの緩みを防止するために、例えば、ばね座金やゴム座金（パッキン）等を設けてもよい。
（８）実施例において、ＩＣタグ収容部とＩＣタグ装着部とは、ネジ結合されていたが、ＩＣタグ収容部をＩＣタグ装着部に対して固定する固定部の構成は、他のものであってもよく、例えば実施例においてＩＣタグ装着部の雌ネジ部が形成された側の面部にあり溝を形成するとともに、ＩＣタグ収容部にこのあり溝と嵌合する突起（あり）を設け、ＩＣタグ収容部をスライドさせてＩＣタグ装着部に着脱させてもよい。また、これらのあり溝、突起に、例えばフック等のストッパ機構を設け、このストッパ機構によってＩＣタグ収容部とＩＣタグ装着部との固定の解除を制限してもよい。ＩＣタグ収容部とＩＣタグ装着部とは、その他にも、例えばバンド、面ファスナ等によって固定されてもよい。
【図面の簡単な説明】
【００２５】
【図１】本発明を適用したＩＣタグの貼付構造の実施例のビア樽を示す側面図である。
【図２】図１のＩＣタグ、ＩＣタグ収容部、ＩＣタグ装着部、両面テープの構成を示す図である。
【符号の説明】
【００２６】
１  ＩＣタグ
１０  インレット
２０  保護フィルム
３０  ＩＣタグ収容部
３１  ＩＣタグ装着部
３２  雄ネジ部
３３  雌ネジ部
４０  両面テープ
４１  基材層
４２  第１の粘着剤層
４３  第２の粘着剤層
５０  ビア樽
５１  容器部
５２  胴部
５３  底面部
【図１】
0004810909.tif 000002
【図２】
0004810909.tif 000003